(57)【要約】【課題】映像コンテンツに関連する関連情報の送信にかかる処理負荷を軽減する。【解決手段】関連情報表示システム１では、映像コンテンツ送信装置から送信された映像コンテンツが映像表示装置に表示されるのと同期して、当該映像コンテンツに関連する関連情報を表示する。関連情報表示システム１は、映像コンテンツの送信において生じる標準表示遅延時間Ｌの間に、関連情報表示端末装置２０がこの送信された映像コンテンツの関連情報およびその表示タイミングを示す時間識別子を取得して、時間識別子が示す表示タイミングで関連情報を表示する。【選択図】図４
2017069794.tif 000002
【特許請求の範囲】
【請求項１】
映像コンテンツ送信装置から送信された映像コンテンツが映像表示装置に表示されるのと同期して、当該映像コンテンツに関連する関連情報を関連情報表示端末装置に表示させる関連情報表示システムであって、
前記関連情報表示端末装置とネットワークを通じて通信可能に接続され、前記関連情報および当該関連情報の表示タイミングを示すタイミング情報が格納された関連情報記憶装置と、
前記関連情報表示端末装置が有するコンピュータによって実行される関連情報表示プログラムと、を有し、
前記関連情報表示プログラムが、前記コンピュータを、前記映像コンテンツが前記映像コンテンツ送信装置により送信されて前記映像表示装置に表示されるまでの標準表示遅延時間以下の情報取得期間毎に、前記関連情報記憶装置から当該映像コンテンツに関連する前記関連情報および前記タイミング情報を取得する情報取得手段、ならびに、前記タイミング情報が示す前記表示タイミングで前記関連情報を表示させる表示手段として機能させる
ことを特徴とする関連情報表示システム。
【請求項２】
前記映像コンテンツ送信装置から送信される前記映像コンテンツに変更が生じたときに、前記関連情報記憶装置に格納された変更前の前記映像コンテンツに関連する前記関連情報および前記タイミング情報を、変更後の前記映像コンテンツに関連する前記関連情報および前記タイミング情報に更新する関連情報更新装置をさらに有している
ことを特徴とする請求項１に記載の関連情報表示システム。
【請求項３】
前記情報取得手段が、現在の前記情報取得期間に後続する１または複数の前記情報取得期間内に表示される前記映像コンテンツに関連する前記関連情報および前記タイミング情報を取得する
ことを特徴とする請求項１または請求項２に記載の関連情報表示システム。
【請求項４】
映像コンテンツ送信装置から送信された映像コンテンツが映像表示装置に表示されるのと同期して、当該映像コンテンツに関連する関連情報を表示する関連情報表示端末装置であって、
コンピュータと、
前記コンピュータによって実行される関連情報表示プログラムと、を有し、
前記関連情報表示プログラムが、前記コンピュータを、前記映像コンテンツが前記映像コンテンツ送信装置により送信されて前記映像表示装置に表示されるまでの標準表示遅延時間以下の情報取得期間毎に、ネットワークを通じて通信可能に接続された関連情報記憶装置から当該映像コンテンツに関連する前記関連情報および当該関連情報の表示タイミングを示すタイミング情報を取得する情報取得手段、ならびに、前記タイミング情報が示す前記表示タイミングで前記関連情報を表示させる表示手段として機能させる
ことを特徴とする関連情報表示端末装置。
【請求項５】
映像コンテンツ送信装置から送信された映像コンテンツが映像表示装置に表示されるのと同期して、当該映像コンテンツに関連する関連情報を表示する関連情報表示端末装置のコンピュータに実行される関連情報表示プログラムであって、
前記コンピュータを、
前記映像コンテンツが前記映像コンテンツ送信装置により送信されて前記映像表示装置に表示されるまでの標準表示遅延時間以下の情報取得期間毎に、ネットワークを通じて通信可能に接続された関連情報記憶装置から当該映像コンテンツに関連する前記関連情報および当該関連情報の表示タイミングを示すタイミング情報を取得する情報取得手段、ならびに、
前記タイミング情報が示す前記表示タイミングで前記関連情報を表示させる表示手段として機能させる
ことを特徴とする関連情報表示プログラム。
【請求項６】
映像コンテンツ送信装置から送信された映像コンテンツが映像表示装置に表示されるのと同期して、当該映像コンテンツに関連する関連情報を関連情報表示端末装置に表示させる関連情報表示方法であって、
前記映像コンテンツが前記映像コンテンツ送信装置により送信されて前記映像表示装置に表示されるまでの標準表示遅延時間以下の情報取得期間毎に、前記関連情報表示端末装置とネットワークを通じて通信可能に接続された関連情報記憶装置から当該映像コンテンツに関連する前記関連情報および当該関連情報の表示タイミングを示すタイミング情報を取得し、
前記タイミング情報が示す前記表示タイミングで前記関連情報を表示させる
ことを特徴とする関連情報表示方法。
【発明の詳細な説明】
【技術分野】
【０００１】
本発明は、映像コンテンツに関連する関連情報を表示する関連情報表示システム、関連情報表示端末装置、関連情報表示プログラム、および、関連情報表示方法に関する。
【背景技術】
【０００２】
従来の関連情報表示システムであるコンテンツ配信システムが特許文献１に開示されている。
【０００３】
特許文献１に開示されているコンテンツ配信システムは、コンテンツ配信制御システム、および、ユーザ端末を備えている。このコンテンツ配信システムは、例えば、番組表に従ってリアルタイムに提供されるテレビ番組に連動して、テレビ番組に関連する関連情報としてのコンテンツを、テレビ番組を視聴するユーザが所持するタブレットやスマートフォンなどのユーザ端末に表示するものである。
【０００４】
コンテンツ配信制御システムは、各ユーザ端末に対して、コンテンツのダウンロード、コンテンツの表示または非表示などの処理動作に関連する各種コマンドメタデータを送信する。そして、ユーザ端末は、コンテンツ配信制御システムから送信される各種コマンドメタデータに基づいて動作する。
【０００５】
具体的には、コンテンツ配信制御システムは、コンテンツのダウンロードに要する時間を考慮し、コンテンツを表示させるタイミングに先駆けて、ダウンロードコマンドを各ユーザ端末に送信することで、各ユーザ端末にコンテンツのダウンロードを促す。その後コンテンツ配信制御システムは、コンテンツを表示させたいタイミングで、コンテンツの表示コマンドを各ユーザ端末に送信し、各ユーザ端末にコンテンツを表示させる。あるいはコンテンツ配信制御システムは、コンテンツを表示させたいタイミングを指定したコンテンツの表示コマンドを、このタイミングに先駆けて各ユーザ端末に送信し、各ユーザ端末に、指定したタイミングでコンテンツを表示させる。
【先行技術文献】
【特許文献】
【０００６】
【特許文献１】特開２０１５−１３９０７８号公報
【発明の概要】
【発明が解決しようとする課題】
【０００７】
ところで、上述したコンテンツ配信システムでは、コンテンツ配信制御システムにおいて非常に多くのユーザ端末の動作を制御しているものであり、このコンテンツ配信制御システムが、コンテンツの表示タイミングを考慮してコンテンツを送信することが行われていた。本発明者は、この点に着目し、映像コンテンツの表示タイミングを当該映像コンテンツの関連情報を表示する端末装置側で考慮することにより、関連情報を送信するシステム側の処理負荷を軽減する構成を見いだし、本発明に至った。
【課題を解決するための手段】
【０００８】
本発明は、映像コンテンツに関連する関連情報の送信にかかる処理負荷を軽減し、当該関連情報を当該映像コンテンツに対して適時に表示できる関連情報表示システム、関連情報表示端末装置、関連情報表示プログラム、および、関連情報表示方法を提供することを目的とする。
【０００９】
上記目的を達成するため、本発明の一態様は、映像コンテンツ送信装置から送信された映像コンテンツが映像表示装置に表示されるのと同期して、当該映像コンテンツに関連する関連情報を関連情報表示端末装置に表示させる関連情報表示システムであって、前記関連情報表示端末装置とネットワークを通じて通信可能に接続され、前記関連情報および当該関連情報の表示タイミングを示すタイミング情報が格納された関連情報記憶装置と、前記関連情報表示端末装置が有するコンピュータによって実行される関連情報表示プログラムと、を有し、前記関連情報表示プログラムが、前記コンピュータを、前記映像コンテンツが前記映像コンテンツ送信装置により送信されて前記映像表示装置に表示されるまでの標準表示遅延時間以下の情報取得期間毎に、前記関連情報記憶装置から当該映像コンテンツに関連する前記関連情報および前記タイミング情報を取得する情報取得手段、ならびに、前記タイミング情報が示す前記表示タイミングで前記関連情報を表示させる表示手段として機能させることを特徴とする関連情報表示システムである。
【００１０】
本発明では、前記映像コンテンツ送信装置から送信される前記映像コンテンツに変更が生じたときに、前記関連情報記憶装置に格納された変更前の前記映像コンテンツに関連する前記関連情報および前記タイミング情報を、変更後の前記映像コンテンツに関連する前記関連情報および前記タイミング情報に更新する関連情報更新装置をさらに有していることが好ましい。
【００１１】
本発明では、前記情報取得手段が、現在の前記情報取得期間に後続する１または複数の前記情報取得期間内に表示される前記映像コンテンツに関連する前記関連情報および前記タイミング情報を取得することが好ましい。
【００１２】
上記目的を達成するため、本発明の他の一態様は、映像コンテンツ送信装置から送信された映像コンテンツが映像表示装置に表示されるのと同期して、当該映像コンテンツに関連する関連情報を表示する関連情報表示端末装置であって、コンピュータと、前記コンピュータによって実行される関連情報表示プログラムと、を有し、前記関連情報表示プログラムが、前記コンピュータを、前記映像コンテンツが前記映像コンテンツ送信装置により送信されて前記映像表示装置に表示されるまでの標準表示遅延時間以下の情報取得期間毎に、ネットワークを通じて通信可能に接続された関連情報記憶装置から当該映像コンテンツに関連する前記関連情報および当該関連情報の表示タイミングを示すタイミング情報を取得する情報取得手段、ならびに、前記タイミング情報が示す前記表示タイミングで前記関連情報を表示させる表示手段として機能させることを特徴とする関連情報表示端末装置である。
【００１３】
上記目的を達成するため、本発明の他の一態様は、映像コンテンツ送信装置から送信された映像コンテンツが映像表示装置に表示されるのと同期して、当該映像コンテンツに関連する関連情報を表示する関連情報表示端末装置のコンピュータに実行される関連情報表示プログラムであって、前記コンピュータを、前記映像コンテンツが前記映像コンテンツ送信装置により送信されて前記映像表示装置に表示されるまでの標準表示遅延時間以下の情報取得期間毎に、ネットワークを通じて通信可能に接続された関連情報記憶装置から当該映像コンテンツに関連する前記関連情報および当該関連情報の表示タイミングを示すタイミング情報を取得する情報取得手段、ならびに、前記タイミング情報が示す前記表示タイミングで前記関連情報を表示させる表示手段として機能させることを特徴とする関連情報表示プログラムである。
【００１４】
上記目的を達成するため、本発明の他の一態様は、映像コンテンツ送信装置から送信された映像コンテンツが映像表示装置に表示されるのと同期して、当該映像コンテンツに関連する関連情報を関連情報表示端末装置に表示させる関連情報表示方法であって、前記映像コンテンツが前記映像コンテンツ送信装置により送信されて前記映像表示装置に表示されるまでの標準表示遅延時間以下の情報取得期間毎に、前記関連情報表示端末装置とネットワークを通じて通信可能に接続された関連情報記憶装置から当該映像コンテンツに関連する前記関連情報および当該関連情報の表示タイミングを示すタイミング情報を取得し、
前記タイミング情報が示す前記表示タイミングで前記関連情報を表示させることを特徴とする関連情報表示方法である。
【００１５】
本発明によれば、映像コンテンツの送信において生じる標準表示遅延時間以下の情報取得期間毎に、当該映像コンテンツの関連情報およびその表示タイミングを示すタイミング情報を取得して、タイミング情報が示す表示タイミングで関連情報を表示する。このようにしたことから、映像コンテンツに関連する関連情報を表示する関連情報表示端末装置側において当該関連情報の表示タイミングを制御することができる。
【００１６】
また、本発明において、映像コンテンツ送信装置から送信される映像コンテンツに変更が生じたときに、映像コンテンツに関連する関連情報およびそのタイミング情報を当該変更に応じて更新することで、変更後の映像コンテンツに応じた関連情報を正しく表示することができる。
【００１７】
また、本発明において、情報取得手段が、現在の情報取得期間に後続する１または複数の情報取得期間内に表示される映像コンテンツに関連する関連情報およびタイミング情報を取得することで、直後および近い未来に表示される映像コンテンツに応じた関連情報を、当該映像コンテンツが表示される前に取得することができる。そのため、映像コンテンツの表示に対してより確実に同期させて関連情報を表示させることができる。また、情報取得期間毎に関連情報およびタイミング情報を取得することになり、直後の情報取得期間より後の情報取得期間に係る関連情報およびタイミング情報については複数回取得することになる。そのため、例えば、ネットワークにおける予期せぬ通信遅延などにより、直後の情報取得期間に係る関連情報およびタイミング情報について適切なタイミングでの取得が失敗した場合でも、それ以前に取得に成功していれば、映像コンテンツに同期して正しく表示することができる。
【発明の効果】
【００１８】
本発明は、映像コンテンツに関連する関連情報の送信にかかる処理負荷を軽減し、当該関連情報を当該映像コンテンツに対して適時に表示できる。
【図面の簡単な説明】
【００１９】
【図１】本発明の一実施形態に係る関連情報表示システムの機能ブロック図である。
【図２】（ａ）はメタデータサーバに格納されたテーブルの一例を示す図であり、（ｂ）は関連情報サーバに格納されたテーブルの一例を示す図である。
【図３】図１の関連情報表示システムの動作の一例を示すシーケンス図である。
【図４】図１の関連情報表示システムの動作の一例を示すタイミングチャートである。
【発明を実施するための形態】
【００２０】
以下、本発明の一実施形態に係る関連情報表示システムを図面に基づいて説明する。
【００２１】
図１は、本発明の一実施形態に係る関連情報表示システムの機能ブロック図である。図２（ａ）はメタデータサーバに格納されたテーブルの一例を示す図であり、（ｂ）は関連情報サーバに格納されたテーブルの一例を示す図である。図３は、図１の関連情報表示システムの動作の一例を示すシーケンス図である。図４は、図１の関連情報表示システムの動作の一例を示すタイミングチャートである。
【００２２】
図１に示す関連情報表示システム１は、映像コンテンツ送信装置Ａおよび映像表示装置Ｂとともに利用され、映像コンテンツ送信装置Ａから送信された映像コンテンツが映像表示装置Ｂに表示されるのと同期して、当該映像コンテンツに関連する関連情報を表示するものである。ここで「同期」とは、時間的に関係を持つことを意味し、「同期して表示する」とは、例えば、同時に表示したり、所定の時間差をおいて表示したりすることである。若干の時間的ずれがあってもよい。
【００２３】
本実施形態では、映像コンテンツ送信装置Ａおよび映像表示装置Ｂとして、テレビ放送局に設置された地上デジタルテレビ放送装置および家庭に設置された地上デジタルテレビ受信装置を例に説明する。もちろんこれ以外にも、映像コンテンツ送信装置Ａおよび映像表示装置Ｂが、ＢＳデジタルテレビ放送装置およびＢＳデジタルテレビ受信装置や、ケーブルテレビ配信装置およびセットトップボックス、映像ストリーミングサーバおよびパソコンなどの他の装置であってもよい。
【００２４】
映像コンテンツ送信装置Ａである地上デジタルテレビ放送装置は、番組表に従ってリアルタイムに提供されるテレビ番組（即ち、映像コンテンツ）に係る地上デジタルテレビ放送信号を送信し、映像表示装置Ｂである地上デジタルテレビ受信装置で受信して映像コンテンツをユーザに表示する。
【００２５】
地上デジタルテレビ放送信号には、映像コンテンツを構成する映像データおよび音声データなどからなる番組コンテンツデータのほか、データ放送用コンテンツデータや、ＰＳＩ（Ｐｒｏｇｒａｍ  Ｓｐｅｃｉｆｉｃ  Ｉｎｆｏｒｍａｔｉｏｎ：番組特定情報）、ＳＩ（Ｓｅｒｖｉｃｅ  Ｉｎｆｏｒｍａｔｉｏｎ：番組配列情報）と呼ばれる番組データなどの付加データが付加されている。
【００２６】
ＳＩには、ＥＩＴ（Ｅｖｅｎｔ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＴＯＴ（Ｔｉｍｅ  Ｏｆｆｓｅｔ  Ｔａｂｌｅ）、ＴＤＴ（Ｔｉｍｅ  Ｄａｔｅ  Ｔａｂｌｅ）などのデジタルデータが含まれている。
【００２７】
ＥＩＴは、番組の名称、放送日時（放送開始日時、放送終了日時）、番組内容の説明などを示す情報を含んでいる。ＳＤＴは、編成チャンネルの名称、放送事業者の名称など、編成チャンネルに関する情報を含んでいる。
【００２８】
ＴＯＴは、現在の時刻、日付、および、実際の時刻と人間系への表示時刻の差分時間（サマータイム）を指定する情報を含んでいる。ＴＤＴは、現在の日付および時刻を示す情報を含んでいる。なお、ＴＯＴには、ＴＤＴに含まれる情報が全て含まれており、現在の日本のデジタルテレビ放送信号には、ＴＤＴは含まれていない。
【００２９】
地上デジタルテレビ放送信号の送信に際しては、信号形式の変換処理および圧縮処理を行うことから、映像コンテンツが映像コンテンツ送信装置Ａから送信されてから映像表示装置Ｂに表示されるまでに数秒の遅延が生じる。この遅延は映像表示装置Ｂの性能などによってばらつきがあるが、標準的な遅延時間を標準表示遅延時間Ｔｓとし、本実施形態において標準表示遅延時間Ｔｓを２．５秒としている。標準表示遅延時間Ｔｓは、例えば、映像コンテンツ送信装置Ａおよび映像表示装置Ｂの種類などに応じて適宜設定される。また、実際に生じる表示遅延時間はばらつきがあることから、例えば、標準表示遅延時間Ｔｓを一定期間毎に、当該一定期間において実測した表示遅延時間の平均値に変更する構成とするなど、システムに合わせて適宜設定してもよい。
【００３０】
関連情報表示システム１は、関連情報提供装置１０と、関連情報表示端末装置２０に実行される関連情報表示プログラムと、を有している。関連情報提供装置１０と関連情報表示端末装置２０とは、通信ネットワーク３０を介して通信可能に接続されている。
【００３１】
関連情報提供装置１０は、送受信部１１、Ｗｅｂサーバ１２、顧客管理サーバ１３、メタデータサーバ１４および関連情報サーバ１５を備えている。関連情報提供装置１０は、例えば、映像コンテンツ送信装置Ａが配置されたテレビ放送局に設けられる。
【００３２】
これらサーバ１２〜１５は、それぞれが市販のパソコンやサーバ装置から構成されている。各サーバ１２〜１５は、通信ネットワーク３０上の一箇所に集中して配置されてもよいし、複数個所に分散して配置されてもよい。また、各サーバ１２〜１５は、それぞれが単一のサーバ装置などでもよく、または、複数個又は階層構造をなすサーバ装置群であってもよく、その形態は限定されない。さらに、サーバ１２〜１５のうちいくつかもしくは全てのサーバを組み合わせて、関連情報提供装置１０を構成してもよい。
【００３３】
送受信部１１は、通信ネットワーク３０を介して後述する関連情報表示端末装置２０との間で各種データを送受信する。
【００３４】
Ｗｅｂサーバ１２は、Ｗｅｂページを表示させるためのＨＴＭＬ（ＨｙｐｅｒＴｅｘｔ  Ｍａｒｋｕｐ  Ｌａｎｇｕａｇｅ：ハイパーテキスト  マークアップ  ランゲージ）文書、ＢＭＬ（Ｂｒｏａｄｃａｓｔ  Ｍａｒｋｕｐ  Ｌａｎｇｕａｇｅ：ブロードキャスト  マークアップ  ランゲージ）文書などの情報を記憶しており、これら情報を関連情報表示端末装置２０に提供する。
【００３５】
顧客管理サーバ１３は、顧客に関する情報を管理する。顧客管理サーバ１３は、顧客（関連情報表示端末装置２０のユーザ）の顧客情報を管理する。顧客情報は、例えば、顧客ＩＤ、パスワード、決済用情報（銀行口座、クレジットカード番号等）、関連情報表示端末装置２０の機器ＩＤ、顧客が購入した商品の履歴情報などを含む。
【００３６】
メタデータサーバ１４は、映像コンテンツに関連する関連情報を特定する情報を管理し、他のサーバに必要な情報を提供する。メタデータサーバ１４は、映像コンテンツを特定する映像コンテンツ識別子に、時間識別子および関連情報識別子を対応付けて管理する。
【００３７】
映像コンテンツ識別子は、例えば、地上デジタルテレビ放送信号のＥＩＴ、ＳＤＴに含まれる情報のうち映像コンテンツを特定するための情報からなる識別子である。
【００３８】
時間識別子は、例えば、ＴＯＴ、ＴＤＴに含まれる情報のうち映像コンテンツの進行を特定するための時間に関する情報からなる識別子である。時間識別子は、例えば、放送日時を特定する識別子や、映像コンテンツの開始時からの経過時間を特定する識別子である。時間識別子はタイミング情報に相当する。
【００３９】
関連情報識別子は、映像コンテンツに関連する関連情報を特定するための識別子である。
【００４０】
メタデータサーバ１４には、例えば、図２（ａ）に示すように、映像コンテンツ識別子Ｃ１に対して、時間識別子Ｔ１１、Ｔ１２、Ｔ１３、・・・と関連情報識別子Ｒ１１、Ｒ１２、Ｒ１３、・・・とがテーブルに格納されている。さらに、メタデータサーバ１４には、映像コンテンツ識別子Ｃ２に対して、時間識別子Ｔ２１、Ｔ２２、Ｔ２３、・・・と関連情報識別子Ｒ２１、Ｒ２２、Ｒ２３、・・・とがテーブルに格納されている。
【００４１】
関連情報サーバ１５は、関連情報識別子に、当該関連情報識別子に対応する時間識別子で特定される映像コンテンツの進行中の場面（即ち映像コンテンツ部分）に関連する関連情報を対応付けて管理する。関連情報サーバ１５は、関連情報表示端末装置２０からのコマンドメタデータによる要求に応じて、送受信部１１を介して関連情報を関連情報表示端末装置２０に送信する。関連情報提供装置１０が、関連情報記憶装置に相当する。
【００４２】
関連情報は、例えば、映像コンテンツの進行中の場面に関連する広告情報などであって、番組出演者の着用している服飾、旅行番組で紹介された旅行プラン、ホテル、レストランなどが例として挙げられる。また、関連情報は、番組の前回までのあらすじ、番組出演者のプロフィールなどの追加情報であってもよい。さらに、関連情報は、視聴者が参加可能なクイズやアンケートなどの情報であってもよい。関連情報は、説明文（文字）、写真、Ｗｅｂサーバ１２などに格納されたＷｅｂページを示すＵＲＬ（Ｕｎｉｆｏｒｍ  Ｒｅｓｏｕｒｃｅ  Ｌｏｃａｔｏｒ）などの情報が格納されている。
【００４３】
関連情報サーバ１５には、例えば、図２（ｂ）に示すように、関連情報識別子Ｒ１１、Ｒ１２、Ｒ１３、・・・、Ｒ２１、Ｒ２２、Ｒ２３、・・・と関連情報Ｄ１１、Ｄ１２、Ｄ１３、・・・、Ｄ２１、Ｄ２２、Ｄ２３、・・・とがテーブルに格納されている。
【００４４】
このようにメタデータサーバ１４で、映像コンテンツ識別子ごとに、時間識別子および関連情報識別子などを対応付けて管理すると共に、関連情報サーバ１５で、関連情報識別子および関連情報などを対応付けて管理する。
【００４５】
関連情報表示端末装置２０は、送受信部（通信部）２２、表示部２３、操作部２４、および制御部２５を備えている。
【００４６】
本実施形態において、関連情報表示端末装置２０は、スマートフォンである。もちろん、これ以外にも、関連情報表示端末装置２０として、携帯電話、タブレット端末、携帯型情報端末（ＰＤＡ：Ｐｅｒｓｏｎａｌ  Ｄｉｇｉｔａｌ  Ａｓｓｉｓｔａｎｃｅ）、ノートパソコン、ラップトップパソコン、デスクトップパソコン等のパーソナルコンピュータ（ＰＣ）などを採用してもよい。
【００４７】
送受信部２２は、通信ネットワーク３０を介して関連情報提供装置１０とデータを送受信する。
【００４８】
表示部２３は、例えば、液晶ディスプレイや有機ＥＬディスプレイなどであって、送受信部２２で受信した関連情報に含まれる情報に対応する画像を表示する。なお、この画像は、静止画であっても動画（連続した画像）であっても、単なる文字列であってもよい。
【００４９】
表示部２３に表示される画像は、関連情報表示端末装置２０に格納されたソフトウェアプログラムによって表示される。このソフトウェアプログラムは、関連情報表示プログラムであり、スマートフォンのアプリケーションプログラム（いわゆるアプリ）である。
【００５０】
操作部２４は、関連情報表示端末装置２０を操作する操作者が操作するものであり、例えば、ボタン、スイッチ、キーボード、タッチパネルなどである。
【００５１】
なお、図示しないが、関連情報表示端末装置２０は、送受信部２２で受信した関連情報に含まれる音声データに対応する音声を出力する、スピーカなどからなる音声出力部を備えていてもよい。
【００５２】
制御部２５は、プログラムを実行して各種の情報処理などを行って各部の制御を行うものであり、例えば、図示しないＲＡＭやＲＯＭなどが接続されたＣＰＵを備えたコンピュータで構成されている。ＲＡＭはＣＰＵが処理を行う際のワーキングメモリを提供し、ＲＯＭには、関連情報表示端末装置２０を動作させるための基本的なプログラムやパラメータなどが格納されている。
【００５３】
制御部２５は、上述した関連情報表示プログラムを実行する。これにより、制御部２５は、送受信部２２を通じて関連情報提供装置１０と通信を行い、関連情報提供装置１０に対し、標準表示遅延時間Ｔｓと同一長さの情報取得期間Ｌ毎に、直後の情報取得期間Ｌに表示される映像コンテンツに関連する関連情報を要求するコマンドメタデータを送信する。そして、制御部２５は、当該コマンドメタデータに応じて関連情報提供装置１０から送信される時間識別子および関連情報を含むコンテンツメタデータを受信（即ち取得）する。制御部２５は、受信した時間識別子に示される表示タイミングで関連情報に基づく文字、写真、ＵＲＬなどを含む画像を表示部２３に表示させる。制御部２５は、情報取得手段および表示手段に相当する。本実施形態において、情報取得期間Ｌを標準表示遅延時間Ｔｓと同一長さにしているが、これに限定されるではなく、本発明の目的に反しない限り、情報取得期間Ｌは標準表示遅延時間Ｔｓ以下であればその長さは任意である。
【００５４】
また、制御部２５は、操作部２４から入力された指示に基づいて変更させた画像（例えば、選択によるハイライト表示画像）を表示部２３に表示させる。さらに、制御部２５は、操作部２４から入力された指示（例えば、ＵＲＬに示されるＷｅｂページの表示要求など）を、通信ネットワーク３０を介して関連情報提供装置１０に送信させる。
【００５５】
通信ネットワーク３０は、例えばインターネットである。インターネットを実現する手段は限定されない。ただし、通信ネットワーク３０は、ケーブルネットワーク、携帯電話網（パケット通信網）、ＰＨＳ網などの任意のネットワークであってもよい。
【００５６】
次に、上述した関連情報表示システム１の動作について、図３、図４を参照して説明する。
【００５７】
関連情報表示端末装置２０において、関連情報表示プログラムを起動すると、現時点を情報取得期間Ｌ０として計時を開始し、関連情報提供装置１０に対して、直後の情報取得期間Ｌ１の間に映像表示装置Ｂに表示される映像コンテンツの場面（映像コンテンツ部分１）に関連する関連情報を要求するコマンド情報を含むコマンドメタデータ［１］を送信する。このコマンドメタデータ［１］は、関連情報提供装置１０の送受信部１１を介してメタデータサーバ１４に送られる。
【００５８】
メタデータサーバ１４は、コマンドメタデータ［１］に応じて、情報取得期間Ｌ１の間に到来する時刻に対応する時間識別子（Ｔ１１、Ｔ１２）およびこの時間識別子（Ｔ１１、Ｔ１２）に対応する関連情報識別子（Ｒ１１、Ｒ１２）を関連情報サーバ１５に送信する。
【００５９】
関連情報サーバ１５は、時間識別子（Ｔ１１、Ｔ１２）および関連情報識別子（Ｒ１１、Ｒ１２）を受信すると、この関連情報識別子（Ｒ１１、Ｒ１２）に対応する関連情報（Ｄ１１、Ｄ１２）を取り出す。そして、関連情報サーバ１５は、関連情報識別子（Ｒ１１、Ｒ１２）により時間識別子（Ｔ１１、Ｔ１２）と関連情報（Ｄ１１、Ｄ１２）とを対応付けるとともにこれら情報をコンテンツメタデータ［２］に含めて送受信部１１を介して関連情報表示端末装置２０に送信する。
【００６０】
このコンテンツメタデータ［２］は、関連情報表示端末装置２０の送受信部２２を介して制御部２５に送られる。制御部２５は、コンテンツメタデータ［２］に含まれる時間識別子（Ｔ１１、Ｔ１２）に示される時刻が到来したとき当該時間識別子（Ｔ１１、Ｔ１２）に対応する関連情報（Ｄ１１、Ｄ１２）を表示部２３に表示する。
【００６１】
関連情報表示端末装置２０は、同様に、情報取得期間Ｌ１、Ｌ２、・・・の開始時において、直後の情報取得期間Ｌ２、Ｌ３、・・・に映像表示装置Ｂに表示される映像コンテンツの場面（映像コンテンツ部分２、３、・・・）に関連する関連情報を要求するコマンド情報を含むコマンドメタデータ［ｍ］（ｍ＝３、５、・・・）を関連情報提供装置１０に送信する。そして、関連情報表示端末装置２０は、関連情報提供装置１０からのコンテンツメタデータ［ｎ］（ｎ＝４、６、・・・）を受信して、コンテンツメタデータ［ｎ］に含まれる時間識別子に示される時刻が到来したとき当該時間識別子に対応する関連情報を表示部２３に表示する。関連情報表示システム１は、上記動作を繰り返す。
【００６２】
これにより、映像表示装置Ｂで映像コンテンツを視聴する視聴者は、映像コンテンツを視聴すると同時に当該映像コンテンツの時間軸の進行に合わせて映像コンテンツの場面（映像コンテンツ部分）に関連する関連情報に係る画像を関連情報表示端末装置２０で視認することができる。よって、視聴している映像コンテンツに関連する有益な画像を映像コンテンツの進行に合わせて視聴者に提供することが可能となる。
【００６３】
具体的には、映像コンテンツ識別子Ｃ１で特定される映像コンテンツを映像表示装置Ｂで視聴する視聴者は、時間識別子Ｔ１１、Ｔ１２で特定される時間（時刻）における映像コンテンツの進行中の場面（映像コンテンツ部分１）を視聴するときに、当該場面に同期して関連情報Ｄ１１、Ｄ１２に係る画像を関連情報表示端末装置２０で視認することができる。以降の場面においても同様である。よって、例えば、関連情報が広告情報である場合、より高い広告効果を有する広告機会を提供することが可能となる。
【００６４】
以上より、本実施形態の関連情報表示システム１によれば、関連情報表示端末装置２０が、映像コンテンツの送信において生じる標準表示遅延時間Ｔｓと同一長さの情報取得期間Ｌ毎に、当該映像コンテンツの関連情報およびその表示タイミングを示す時間識別子を取得して、時間識別子が示す表示タイミングで関連情報を表示する。このようにしたことから、映像コンテンツに関連する関連情報を表示する関連情報表示端末装置２０側において当該関連情報の表示タイミングを制御することができる。
【００６５】
したがって、映像コンテンツに関連する関連情報の送信にかかる処理負荷を軽減し、当該関連情報を当該映像コンテンツに対して適時に表示できる。
【００６６】
上述した関連情報表示システム１において、例えば、リアルタイムで進行する生放送番組など、放送中に登場する広告対象物などの事物が事前には確実には確定されていない場合でも番組の進行に合わせて関連情報を送信する必要がある。また、番組内容が急に変更した場合や野球中継などのスポーツ中継が延長されて後続番組の放送時刻に変更が生じた場合などでも、番組内容の変更に合わせて関連情報を送信する必要がある。
【００６７】
そこで、関連情報提供装置１０を映像コンテンツ送信装置Ａと通信可能に接続し、関連情報提供装置１０が、映像コンテンツ送信装置Ａから映像コンテンツの進行についての情報を取得するとともに、取得した情報に基づき映像コンテンツの進行に合わせて即時に関連情報および時間識別子を更新したり、番組内容の変更の変更についての情報を取得して、取得した情報に基づき番組内容の変更に合わせて関連情報および時間識別子を更新したりする構成を採用してもよい。この場合関連情報提供装置１０が、関連情報更新装置に相当する。
【００６８】
このように、映像コンテンツ送信装置から送信される映像コンテンツに変更が生じたときに、映像コンテンツに関連する関連情報およびその時間識別子を当該変更に応じて更新することで、変更後の映像コンテンツに応じた関連情報を正しく表示することができる。特に、上述した構成では、映像コンテンツが表示される直前まで当該映像コンテンツに係る関連情報が関連情報表示端末装置２０に取得されないことから、映像コンテンツの表示直前まで関連情報の変更（更新）ができる。
【００６９】
上述した実施形態では、関連情報表示端末装置２０の制御部２５が、関連情報提供装置１０に対し、情報取得期間Ｌ毎に、直後の情報取得期間Ｌに表示される映像コンテンツに関連する関連情報を要求するコマンドメタデータを送信するものであったが、これに限定されるものではない。制御部２５は、直後に続く複数の情報取得期間Ｌに表示される映像コンテンツに関連する関連情報を要求するコマンドメタデータを送信するものであってもよい。例えば、図４において、情報取得期間Ｌ０の開始時点において、コマンドメタデータ［１］により１つの情報取得期間Ｌ１に表示される映像コンテンツに関連する関連情報を要求していたが、このコマンドメタデータ［１］により複数の情報取得期間Ｌ１、Ｌ２、・・・に表示される映像コンテンツに関する関連情報を要求するようにしてもよい。
【００７０】
このように、制御部２５（即ち情報取得手段）が、現在の情報取得期間に後続する１または複数の情報取得期間内に表示される映像コンテンツに関連する関連情報およびタイミング情報を取得することで、直後および近い未来に表示される映像コンテンツに応じた関連情報を、当該映像コンテンツが表示される前に取得することができる。そのため、映像コンテンツの表示に対してより確実に同期させて関連情報を表示させることができる。また、情報取得期間毎に関連情報およびタイミング情報を取得することになり、直後の情報取得期間より後の情報取得期間に係る関連情報およびタイミング情報については複数回取得することになる。そのため、例えば、ネットワークにおける予期せぬ通信遅延などにより、直後の情報取得期間に係る関連情報およびタイミング情報について適切なタイミングでの取得が失敗した場合でも、それ以前に取得に成功していれば、映像コンテンツに同期して正しく表示することができる。
【００７１】
また、映像コンテンツはテレビ広告（即ちテレビコマーシャル）であってもよく、このテレビ広告で宣伝広告される商品やサービスに関する情報を関連情報とすることもできる。この場合、例えば、商品やサービスに関する詳細な情報や視聴者に合わせた情報を関連情報とすることによって、テレビ広告に付加価値を与えることが可能となる。また、例えば、商品やサービスを購入するための情報を関連情報とすることによって、テレビ広告で広告宣伝された商品やサービスに関するさらなる詳細情報を視聴者に告知することや、さらには、ＥＣ（Ｅｌｅｃｔｒｏｎｉｃ  Ｃｏｍｍｅｒｃｅ：電子商取引）を介して視聴者が直接的に購入することも可能となる。
【００７２】
これによれば、例えば、関連情報が広告情報である場合、より高い広告効果を有する広告機会を提供することが可能となる。さらには、テレビ広告の範疇を超えてそのままＥＣを介して、例えばアフィリエイトによって、又は、ワンクリックなどで実際に販売された商品売上に対して対価を得ることも可能となる。
【００７３】
また、顧客管理サーバ１３で管理された顧客情報に対応させて、関連情報表示端末装置２０に送信する関連情報を変更することも好ましい。例えば、顧客管理サーバ１３で、性別、年齢、居住地、職業、趣味、未婚・既婚などの顧客情報を管理しておき、これら顧客情報に基づいた視聴者の属性嗜好性を対応させて関連情報を送信すればよい。これにより、個々の視聴者の属性嗜好性に合った広告などの有益な画像を映像コンテンツと同時に提供することが可能となる。また、逆に、このような効果のため、視聴者に自身の情報を登録することを促すことができ、視聴者に関する有益な情報を広告主が把握することも可能となる。
【００７４】
また、顧客管理サーバ１３は、属性などの情報を登録した視聴者や匿名の視聴者などの視聴者が関連情報を得るために、関連情報表示端末装置２０からアクセスした態様（時間、地域、関連情報に対する反応）などの情報を記録して、収集されたこれらの情報を分析する機能を有していてもよい。この場合、視聴者への関連情報の送信数、関連情報に対して反応した購買行動数などの具体的な数値情報を得て、関連情報の提供者である広告主などに提供することによって対価を得るというビジネスモデルを構築することができる。これにより、従来のテレビ広告と比較して広告到達度が明確になり、広告主は映像コンテンツを介した広告の費用対効果や投資効果を的確に把握することが可能となる。
【００７５】
上記に本発明の本実施形態を説明したが、本発明はこれらの例に限定されるものではない。前述の各実施形態に対して、当業者が適宜、構成要素の追加、削除、設計変更を行ったものや、各実施形態の特徴を適宜組み合わせたものも、本発明の要旨を備えている限り、本発明の範囲に含まれる。
【符号の説明】
【００７６】
１…関連情報表示システム、１０…関連情報提供装置、１１…送受信部、１２…Ｗｅｂサーバ、１３…顧客管理サーバ、１４…メタデータサーバ、１５…関連情報サーバ、２０…関連情報表示端末装置、２２…送受信部、２３…表示部、２４…操作部、２５…制御部、３０…通信ネットワーク、Ａ…映像コンテンツ送信装置、Ｂ…映像表示装置、Ｔｓ…標準表示遅延時間、Ｌ…情報取得期間。
【図１】
2017069794.tif 000003
【図２】
2017069794.tif 000004
【図３】
2017069794.tif 000005
【図４】
2017069794.tif 000006